(57)【要約】  【課題】  本発明は、フルカラーの描画情報に基づいて２色印刷を行う際に、画像の各色への振分けを適切に行うことのできる画像処理装置、画像処理プログラムを提供することを目的とする。  【解決手段】  複数種類の色判別条件を設定として設定記憶部１０２に記憶し、描画情報得部１０４が取得した描画情報を描画情報解析部１０５で解析し、色判別部１０６が描画情報解析部１０５による解析結果と設定記憶部１０２に記憶している色判別条件とに基づいて描画すべき色を判別し、その判別結果に基づいて、描画部１０８が第１色と第２色とで描画した画像情報を生成する。【選択図】        図１
2008182440.tif 000002
【特許請求の範囲】
【請求項１】
複数種類の色判別条件を受け付ける受付手段と、
描画情報を取得する取得手段と、
前記取得手段が取得した描画情報を解析する解析手段と、
前記解析手段による解析結果と前記受付手段が受け付けた色判別条件とに基づいて、第１色と第２色とで描画した画像情報を生成する生成手段と、
前記生成手段が生成した画像情報を画像形成装置に出力する出力手段と
を具備することを特徴とする画像処理装置。
【請求項２】
前記受付手段は、彩度若しくは色成分量により指定される第１の色判別条件と、色により指定される第２の色判別条件とを受け付けることを特徴とする請求項１記載の画像処理装置。
【請求項３】
前記生成手段は、前記第１の色判別条件に合致する色の描画情報および前記第２の色判別条件に合致する色の描画情報に対応する画像情報を前記第２色で描画し、前記第１の色判別条件と前記第２の色判別条件とのいずれにも合致しない色の描画情報に対応する画像情報を前記第１色で描画することを特徴とする請求項２記載の画像処理装置。
【請求項４】
前記生成手段は、前記第２の色判別条件に合致しない色で前記第１の色判別条件に合致する色の描画情報に対応する画像情報を前記第２色で描画し、前記第２の色判別条件に合致する色の描画情報に対応する画像情報および前記第１の色判別条件に合致しない色の描画情報に対応する画像情報を前記第１色で描画することを特徴とする請求項２記載の画像処理装置。
【請求項５】
前記受付手段は、彩度若しくは色成分量により指定される第１の色判別条件と、前記取得手段が取得した描画情報の種別により指定される第３の色判別条件とを受け付けることを特徴とする請求項１記載の画像処理装置。
【請求項６】
前記生成手段は、前記第３の色判別条件に合致する種別の描画情報に対応する画像情報を前記第１色で描画し、前記第３の色判別条件に合致しない種別の描画情報のうち前記第１の色判別条件に合致する色の描画情報に対応する画像情報を前記第２色で描画し、前記第３の色判別条件に合致しない種別の描画情報のうち前記第１の色判別条件に合致しない色の描画情報に対応する画像情報を前記第１色で描画することを特徴とする請求項５記載の画像処理装置。
【請求項７】
前記生成手段は、前記第１の色判別条件に合致する色の描画情報のうち前記第３の色判別条件に合致する種別の描画情報に対応する画像情報をディザリング処理を施して前記第２色で描画し、前記第１の色判別条件に合致する色の描画情報のうち前記第３の色判別条件に合致しない種別の描画情報に対応する画像情報を前記第２色で描画し、前記第１の色判別条件に合致しない色の描画情報に対応する画像情報を前記第１色で描画することを特徴とする請求項５記載の画像処理装置。
【請求項８】
複数種類の色判別条件を受け付ける受付処理と、
描画情報を取得する取得処理と、
前記取得処理で取得した描画情報を解析する解析処理と、
前記解析処理による解析結果と前記受付処理で受け付けた色判別条件とに基づいて、第１色と第２色とで描画した画像情報を生成する生成処理と、
前記生成処理で生成した画像情報を画像形成装置に出力する出力処理と
をコンピュータに実行させることを特徴とする画像処理プログラム。
【請求項９】
前記受付処理は、彩度若しくは色成分量により指定される第１の色判別条件と、色により指定される第２の色判別条件とを受け付けることを特徴とする請求項８記載の画像処理プログラム。
【請求項１０】
前記生成処理は、前記第１の色判別条件に合致する色の描画情報および前記第２の色判別条件に合致する色の描画情報に対応する画像情報を前記第２色で描画し、前記第１の色判別条件と前記第２の色判別条件とのいずれにも合致しない色の描画情報に対応する画像情報を前記第１色で描画することを特徴とする請求項９記載の画像処理プログラム。
【請求項１１】
前記生成処理は、前記第２の色判別条件に合致しない色で前記第１の色判別条件に合致する色の描画情報に対応する画像情報を前記第２色で描画し、前記第２の色判別条件に合致する色の描画情報に対応する画像情報および前記第１の色判別条件に合致しない色の描画情報に対応する画像情報を前記第１色で描画することを特徴とする請求項９記載の画像処理プログラム。
【請求項１２】
前記受付処理は、彩度若しくは色成分量により指定される第１の色判別条件と、前記取得処理で取得した描画情報の種別により指定される第３の色判別条件とを受け付けることを特徴とする請求項８記載の画像処理プログラム。
【請求項１３】
前記生成処理は、前記第３の色判別条件に合致する種別の描画情報に対応する画像情報を前記第１色で描画し、前記第３の色判別条件に合致しない種別の描画情報のうち前記第１の色判別条件に合致する色の描画情報に対応する画像情報を前記第２色で描画し、前記第３の色判別条件に合致しない種別の描画情報のうち前記第１の色判別条件に合致しない色の描画情報に対応する画像情報を前記第１色で描画することを特徴とする請求項１２記載の画像処理プログラム。
【請求項１４】
前記生成処理は、前記第１の色判別条件に合致する色の描画情報のうち前記第３の色判別条件に合致する種別の描画情報に対応する画像情報をディザリング処理を施して前記第２色で描画し、前記第１の色判別条件に合致する色の描画情報のうち前記第３の色判別条件に合致しない種別の描画情報に対応する画像情報を前記第２色で描画し、前記第１の色判別条件に合致しない色の描画情報に対応する画像情報を前記第１色で描画することを特徴とする請求項１２記載の画像処理プログラム。
【発明の詳細な説明】
【技術分野】
【０００１】
本発明は、画像処理装置、画像処理プログラムに関する。
【背景技術】
【０００２】
コンピュータで動作するアプリケーションソフトウェアを利用して作成した文書等をプリンタ等の画像形成装置で用紙に印刷することは一般に行われている。文書等を印刷する画像形成装置は、カラー印刷が可能なものやモノクロ印刷のみが可能なものがあり、その用途に応じて使い分けられている。
【０００３】
ところで、文書等を印刷する際に、モノクロ文書に対してその一部にのみ色を加えた印刷結果が望まれることがある。これは、モノクロで印刷される写真の一部を線で囲んで強調したり、文字を加えたりした文書を印刷するものであり、例えば、赤と黒、青と黒等といった２色のインクやトナーにより実現することができるものである。
【０００４】
このような２色印刷を行う画像形成装置としては、カラープリンタを制御することで行うものや（例えば、特許文献１、特許文献２参照）、モノクロ印刷と２色印刷のみを行うことができる専用のもの（例えば、特許文献３、特許文献４参照）等がある。
【特許文献１】特開２００６−１１５２７９号公報
【特許文献２】特開２００６−２６１７６６号公報
【特許文献３】特開２００４−１７５０７５号公報
【特許文献４】特開２００２−２４０３６１号公報
【発明の開示】
【発明が解決しようとする課題】
【０００５】
本発明は、フルカラーの描画情報に基づいて２色印刷を行う際に、画像の各色への振分けを適切に行うことのできる画像処理装置、画像処理プログラムを提供することを目的とする。
【課題を解決するための手段】
【０００６】
上述した目的を達成するため、請求項１の発明は、複数種類の色判別条件を受け付ける受付手段と、描画情報を取得する取得手段と、前記取得手段が取得した描画情報を解析する解析手段と、前記解析手段による解析結果と前記受付手段が受け付けた色判別条件とに基づいて、第１色と第２色とで描画した画像情報を生成する生成手段と、前記生成手段が生成した画像情報を画像形成装置に出力する出力手段とを具備することを特徴とする。
【０００７】
また、請求項２の発明は、請求項１の発明において、前記受付手段は、彩度若しくは色成分量により指定される第１の色判別条件と、色により指定される第２の色判別条件とを受け付けることを特徴とする。
【０００８】
また、請求項３の発明は、請求項２の発明において、前記生成手段は、前記第１の色判別条件に合致する色の描画情報および前記第２の色判別条件に合致する色の描画情報に対応する画像情報を前記第２色で描画し、前記第１の色判別条件と前記第２の色判別条件とのいずれにも合致しない色の描画情報に対応する画像情報を前記第１色で描画することを特徴とする。
【０００９】
また、請求項４の発明は、請求項２の発明において、前記生成手段は、前記第２の色判別条件に合致しない色で前記第１の色判別条件に合致する色の描画情報に対応する画像情報を前記第２色で描画し、前記第２の色判別条件に合致する色の描画情報に対応する画像情報および前記第１の色判別条件に合致しない色の描画情報に対応する画像情報を前記第１色で描画することを特徴とする。
【００１０】
また、請求項５の発明は、請求項１の発明において、前記受付手段は、彩度若しくは色成分量により指定される第１の色判別条件と、前記取得手段が取得した描画情報の種別により指定される第３の色判別条件とを受け付けることを特徴とする。
【００１１】
また、請求項６の発明は、請求項５の発明において、前記生成手段は、前記第３の色判別条件に合致する種別の描画情報に対応する画像情報を前記第１色で描画し、前記第３の色判別条件に合致しない種別の描画情報のうち前記第１の色判別条件に合致する色の描画情報に対応する画像情報を前記第２色で描画し、前記第３の色判別条件に合致しない種別の描画情報のうち前記第１の色判別条件に合致しない色の描画情報に対応する画像情報を前記第１色で描画することを特徴とする。
【００１２】
また、請求項７の発明は、請求項５の発明において、前記生成手段は、前記第１の色判別条件に合致する色の描画情報のうち前記第３の色判別条件に合致する種別の描画情報に対応する画像情報をディザリング処理を施して前記第２色で描画し、前記第１の色判別条件に合致する色の描画情報のうち前記第３の色判別条件に合致しない種別の描画情報に対応する画像情報を前記第２色で描画し、前記第１の色判別条件に合致しない色の描画情報に対応する画像情報を前記第１色で描画することを特徴とする。
【００１３】
また、請求項８の発明は、複数種類の色判別条件を受け付ける受付処理と、描画情報を取得する取得処理と、前記取得処理で取得した描画情報を解析する解析処理と、前記解析処理による解析結果と前記受付処理で受け付けた色判別条件とに基づいて、第１色と第２色とで描画した画像情報を生成する生成処理と、前記生成処理で生成した画像情報を画像形成装置に出力する出力処理とをコンピュータに実行させることを特徴とする。
【００１４】
また、請求項９の発明は、請求項８の発明において、前記受付処理は、彩度若しくは色成分量により指定される第１の色判別条件と、色により指定される第２の色判別条件とを受け付けることを特徴とする。
【００１５】
また、請求項１０の発明は、請求項９の発明において、前記生成処理は、前記第１の色判別条件に合致する色の描画情報および前記第２の色判別条件に合致する色の描画情報に対応する画像情報を前記第２色で描画し、前記第１の色判別条件と前記第２の色判別条件とのいずれにも合致しない色の描画情報に対応する画像情報を前記第１色で描画することを特徴とする。
【００１６】
また、請求項１１の発明は、請求項９の発明において、前記生成処理は、前記第２の色判別条件に合致しない色で前記第１の色判別条件に合致する色の描画情報に対応する画像情報を前記第２色で描画し、前記第２の色判別条件に合致する色の描画情報に対応する画像情報および前記第１の色判別条件に合致しない色の描画情報に対応する画像情報を前記第１色で描画することを特徴とする。
【００１７】
また、請求項１２の発明は、請求項８の発明において、前記受付処理は、彩度若しくは色成分量により指定される第１の色判別条件と、前記取得処理で取得した描画情報の種別により指定される第３の色判別条件とを受け付けることを特徴とする。
【００１８】
また、請求項１３の発明は、請求項１２の発明において、前記生成処理は、前記第３の色判別条件に合致する種別の描画情報に対応する画像情報を前記第１色で描画し、前記第３の色判別条件に合致しない種別の描画情報のうち前記第１の色判別条件に合致する色の描画情報に対応する画像情報を前記第２色で描画し、前記第３の色判別条件に合致しない種別の描画情報のうち前記第１の色判別条件に合致しない色の描画情報に対応する画像情報を前記第１色で描画することを特徴とする。
【００１９】
また、請求項１４の発明は、請求項１２の発明において、前記生成処理は、前記第１の色判別条件に合致する色の描画情報のうち前記第３の色判別条件に合致する種別の描画情報に対応する画像情報をディザリング処理を施して前記第２色で描画し、前記第１の色判別条件に合致する色の描画情報のうち前記第３の色判別条件に合致しない種別の描画情報に対応する画像情報を前記第２色で描画し、前記第１の色判別条件に合致しない色の描画情報に対応する画像情報を前記第１色で描画することを特徴とする。
【発明の効果】
【００２０】
請求項１に記載の発明は、本構成を有しない場合に比較して、フルカラーから２色への振分けを適切に行うことが可能となる。
【００２１】
請求項２に記載の発明は、彩度若しくは色成分量からだけでは特定できない色の振分けを適切に行うことが可能となる。
【００２２】
請求項３に記載の発明は、第１の色判別条件に合致しない色のうち、第２の色判別条件に合致する色を例外として指定することが可能となる。
【００２３】
請求項４に記載の発明は、第１の色判別条件に合致する色のうち、第２の色判別条件に合致する色を例外として指定することが可能となる。
【００２４】
請求項５に記載の発明は、描画情報の種別に応じた色の振分けを適切に行うことが可能となる。
【００２５】
請求項６に記載の発明は、描画情報の種別に応じた色の振分けを適切に行うことが可能となる。
【００２６】
請求項７に記載の発明は、描画情報の種別に応じてディザリング処理の適用を行うことが可能となる。
【００２７】
請求項８に記載の発明は、本構成を有しない場合に比較して、フルカラーから２色への振分けを適切に行うことが可能となる。
【００２８】
請求項９に記載の発明は、彩度若しくは色成分量からだけでは特定できない色の振分けを適切に行うことが可能となる。
【００２９】
請求項１０に記載の発明は、第１の色判別条件に合致しない色のうち、第２の色判別条件に合致する色を例外として指定することが可能となる。
【００３０】
請求項１１に記載の発明は、第１の色判別条件に合致する色のうち、第２の色判別条件に合致する色を例外として指定することが可能となる。
【００３１】
請求項１２に記載の発明は、描画情報の種別に応じた色の振分けを適切に行うことが可能となる。
【００３２】
請求項１３に記載の発明は、描画情報の種別に応じた色の振分けを適切に行うことが可能となる。
【００３３】
請求項１４に記載の発明は、描画情報の種別に応じてディザリング処理の適用を行うことが可能となる。
【発明を実施するための最良の形態】
【００３４】
以下、本発明に係る画像処理装置、画像処理プログラムの一実施の形態について、添付図面を参照して詳細に説明する。
【実施例】
【００３５】
図１は、画像処理装置の構成例を示した図である。同図に示した例では、画像処理装置は、情報処理装置１０と入力装置２０、表示装置３０により構成され、画像処理結果を画像形成装置４０へ出力する。
【００３６】
情報処理装置１０は、演算部１１と記憶部１２、一時記憶部１３、通信部１４、入力装置接続部１５、表示装置接続部１６、記憶装置接続部１７、記憶装置１８を有している。演算部１１は、演算処理を行うもので、例えば、ＣＰＵ（Central Processing Unit）等のプロセッサにより実現されるものである。記憶部１２は、情報等を記憶するもので、例えば、ＲＯＭ（Read Only Memory）、不揮発性メモリ(Nonvolatile Memory)等のメモリで実現されるものである。一時記憶部１３は、情報等を一時的に記憶するもので、例えば、ＲＡＭ（Random Access Memory）等のメモリで実現されるものである。通信部１４は、画像形成装置４０との間で通信を行うもので、例えば、ネットワークアダプタ等で実現されるものである。入力装置接続部１５、表示装置接続部１６、記憶装置接続部１７は、それぞれ、入力装置２０、表示装置３０、記憶装置１８を接続するインタフェイスである。記憶装置１８は、情報等を記憶するもので、例えば、磁気ディスク等で実現されるものである。
【００３７】
入力装置２０は、情報処理装置１０に対して情報や指示の入力を行うもので、例えば、キーボードやマウス等で実現されるものである。
【００３８】
表示装置３０は、情報処理装置１０から出力される情報等を表示するもので、例えば、ディスプレイ装置等で実現されるものである。
【００３９】
画像形成装置４０は、基本色と特定色による画像形成が可能な装置である。基本色とはモノクロ印刷時に利用される色であり、本実施例においては黒色を基本色とする。また、特定色とは２色印刷時に基本色に加えて利用される色であり、本実施例においては、赤色を特定色とする。
【００４０】
この情報処理装置１０と入力装置２０、表示装置３０の画像処理装置としての利用は、情報処理装置１０において記憶装置１８に記憶されているプリンタドライバプログラムを動作させることにより、後述する各機能部を実現することで行われる。
【００４１】
図２は、情報処理装置１０の機能的な構成の概略を示した図である。同図に示すように、情報処理装置１０は、プリンタドライバ１００とアプリケーションソフトウェア１５０に基づいて動作する。
【００４２】
アプリケーションソフトウェア１５０は、文書等を作成、編集するものであり、例えば、ワードプロセッサや表計算ソフトウェア、画像編集ソフトウェア、図形描画ソフトウェアなど、様々なものがある。
【００４３】
プリンタドライバ１００は、アプリケーションソフトウェア１５０により呼び出されて動作し、アプリケーションソフトウェア１５０で作成された文書等に基づく描画情報を画像形成装置４０に対応する画像情報に変換して画像形成装置４０へ出力する。
【００４４】
図３は、プリンタドライバ１００の機能的な構成の詳細を示すブロック図である。同図に示すように、プリンタドライバ１００は、操作処理部１０１と、設定記憶部１０２、画面提供部１０３、描画情報取得部１０４、描画情報解析部１０５、色判別部１０６、ディザリング処理部１０７、描画部１０８、基本色描画領域１０９、特定色描画領域１１０、基本色一時描画領域１１１、特定色一時描画領域１１２、２値化処理部１１３、画像情報出力部１１４を有している。
【００４５】
操作処理部１０１は、操作者により入力装置２０から入力される指示を受け付ける。設定記憶部１０２は、プリンタドライバ１００が動作する際のパラメータ等の設定を記憶する。画面提供部１０３は、設定を受け付ける設定画面や指示を受け付ける指示画面等を表示装置３０に表示させる。描画情報取得部１０４は、アプリケーションソフトウェア１５０から描画情報を取得する。描画情報解析部１０５は、描画情報取得部１０４が取得した描画情報を解析する。色判別部１０６は、設定記憶部１０２に記憶されている設定に基づいて、描画情報解析部１０５による解析結果を基本色（本実施例では黒色）と特定色（本実施例では赤色）のいずれで描画するかを判別する。ディザリング処理部１０７は、設定記憶部１０２に記憶されている設定に基づいて、描画情報解析部１０５による解析結果にディザリング処理を施す。
【００４６】
描画部１０８は、基本色描画領域１０９、特定色描画領域１１０、基本色一時描画領域１１１、特定色一時描画領域１１２に対して描画を行う。このとき、描画部１０８は、基本色で描画すべき画像を基本色描画領域１０９に基本色で描画するか、基本色一時描画領域１１１に原色で描画し、特定色で描画すべき画像を特定色描画領域１１０に特定色で描画するか、特定色一時描画領域１１２に原色で描画する。基本色描画領域１０９は、基本色で描画すべき画像が基本色で描画される。特定色描画領域１１０は、特定色で描画すべき画像が特定色で描画される。基本色一時描画領域１１１は、基本色で描画すべき画像が原色で描画される。特定色一時描画領域１１２は、特定色で描画すべき画像が原色で描画される。２値化処理部１１３は、基本色一時描画領域１１１と特定色一時描画領域１１２に原色で描画された画像を２値化し、それぞれ、基本色描画領域１０９と特定色描画領域１１０に描画する。画像情報出力部１１４は、基本色描画領域１０９と特定色描画領域１１０に描画された画像を画像情報として画像形成装置４０へ出力する。
【００４７】
次に、設定記憶部１０２に記憶される設定について説明する。なお、ここでは、プリンタドライバ１００に特有の設定のみ説明する。図４は、画面提供部１０３が提供する設定画面の例を示した図である。
【００４８】
同図に示す設定画面２００は、基本色である黒色と特定色である赤色による２色印刷に関する設定を行う画面であり、表示装置３０に表示される。
【００４９】
設定部２０１は、赤色での描画を行う際のディザリング処理に関する設定を選択肢から選択するものである。選択肢としては、「しない」、「する」、「図形のみ」、「テキストのみ」、「図形とテキストのみ」がある。選択肢「しない」を選択した場合、赤色で描画する画像に対してディザリング処理を行わない設定となる。選択肢「する」を選択した場合、赤色で描画するすべての画像に対してディザリング処理を行う設定となる。選択肢「図形のみ」を選択した場合、赤色で描画する図形（ベクタデータ）に対してのみディザリング処理を行う設定となる。選択肢「テキストのみ」を選択すると、赤色で描画するテキスト（文字）に対してのみディザリング処理を行う設定となる。選択肢「図形とテキストのみ」を選択した場合、赤色で描画する図形とテキストに対してのみディザリング処理を行う設定となる。
【００５０】
設定部２０２は、ラスタイメージをすべて黒色とするか否かを設定するものである。設定部２０２をＯＮ（チェックを入れる）とした場合、ラスタイメージの描画はすべて黒色で行われる設定となる。また、設定部２０２をＯＦＦ（チェックをはずす）とした場合、ラスタイメージの描画は、色判別部１０６での色判別処理結果にしたがって黒色若しくは赤色で行われる設定となる。
【００５１】
設定部２０３は、色判別部１０６での色判別処理で赤色と判別させる色の範囲を指定するものである。設定部２０３をＯＮ（チェックを入れる）とした場合、赤色と判別させる色の範囲の指定が有効となる。設定部２０３をＯＦＦ（チェックをはずす）とした場合、赤色と判別させる色の範囲の指定が無効となる。
【００５２】
設定部２０４は、設定部２０３がＯＮとなっている場合に有効で、設定部２０４をＯＮ（チェックを入れる）とした場合、赤色と判別させる色の範囲を彩度で指定する設定となる。設定部２０４をＯＦＦ（チェックを入れる）とした場合は、設定部２０５がＯＮとなる。
【００５３】
設定部２０５は、設定部２０３がＯＮとなっている場合に有効で、設定部２０５をＯＮ（チェックを入れる）とした場合、赤色と判別させる色の範囲を赤成分（Ｒ）の量で指定する設定となる。設定部２０５をＯＦＦ（チェックを入れる）とした場合は、設定部２０４がＯＮとなる。
【００５４】
設定部２０６は、設定部２０３と設定部２０４がともにＯＮとなっている場合に有効で、赤色と判別させる色の範囲となる彩度の下限値を入力するものである。なお、設定部２０６に値を入力した場合には、設定部２０８の状態も連動する。
【００５５】
設定部２０７は、設定部２０３と設定部２０５がともにＯＮとなっている場合に有効で、赤色と判別させる色の範囲となる赤成分の量の下限値を入力するものである。なお、設定部２０７に値を入力した場合には、設定部２０８の状態も連動する。
【００５６】
設定部２０８は、設定部２０３がＯＮとなっている場合に有効で、赤色と判別させる色の範囲となる彩度若しくは赤成分の量の下限値を変更するものである。なお、設定部２０８を操作した場合、設定部２０４がＯＮであれば赤色と判別させる色の範囲となる彩度の下限の値が変更されるとともに設定部２０６の値が変更され、設定部２０５がＯＮであれば赤色と判別させる色の範囲となる赤成分の量の下限の値が変更されるとともに設定部２０７の値が変更される。
【００５７】
表示部２０９は、彩度若しくは赤成分の量に対応した色を表示するもので、設定部２０４がＯＮであれば彩度に対応した色を表示し、設定部２０５がＯＮであれば赤成分の量に対応した色を表示する。
【００５８】
表示部２１０は、設定部２０８の操作に連動し、彩度若しくは赤成分の量に対して、赤色と判別される範囲を赤色で表示し、黒色と判別される範囲を黒色で表示する。
【００５９】
設定部２１１は、赤色と判別させる色を直接指定するもので、設定部２１１をＯＮ（チェックを入れる）とした場合、赤色と判別させる色の直接指定が有効となる。ここで直接指定した色は、設定部２０３がＯＮである場合でもそこでの範囲の指定に優先する。なお、設定部２１１をＯＦＦ（チェックを入れる）とした場合は、設定部２１２がＯＮとなる。
【００６０】
設定部２１２は、黒色と判別させる色を直接指定するもので、設定部２１２をＯＮ（チェックを入れる）とした場合、黒色と判別させる色の直接指定が有効となる。ここで直接指定した色は、設定部２０３がＯＮである場合でもそこでの範囲の指定に優先する。なお、設定部２１２をＯＦＦ（チェックを入れる）とした場合は、設定部２１１がＯＮとなる。
【００６１】
設定部２１３−１は、設定部２１１がＯＮの場合には赤色と判別させる色の直接指定を、設定部２１２がＯＮの場合には黒色と判別させる色の直接指定を有効にするもので、設定部２１３−１をＯＮ（チェックを入れる）とした場合、表示部２１４−１に表示されている色が赤色と判別させる色若しくは黒色と判別させる色となる。
【００６２】
設定部２１５−１は、赤色と判別させる色若しくは黒色と判別させる色を指定する画面を表示させるボタンであり、このボタンが押下されると、図５に示す色指定画面２５０が画面提供部１０３により表示装置３０に表示される。
【００６３】
色指定画面２５０では、表示部２５１に選択可能な色（例えば、２４ビットフルカラーであれば、１６７７７２１６色）が表示され、入力装置２０の操作により移動するポインタ２５２により、表示部２５１に表示された色からいずれか１色を選択することができる。設定部２５３、設定部２５４、設定部２５５には、それぞれ、ポインタ２５２により選択された色の赤成分（Ｒ）、緑成分（Ｇ）、青成分（Ｂ）の値が表示される。また、ポインタ２５２による色の選択に代えて設定部２５３、設定部２５４、設定部２５５に値を直接入力することもできる。
【００６４】
なお、本実施例においては、設定画面２００で赤色若しくは黒色を直接色指定可能としているが、赤色と黒色の両者を直接指定可能とすることもできる。
【００６５】
また、本実施例においては、色指定画面２５０で指定する色を１色としているが、例えば、選択した色の赤成分（Ｒ）、緑成分（Ｇ）、青成分（Ｂ）の値に幅を持たせ、範囲として色を指定させることもできる。
【００６６】
次に、プリンタドライバ１００の動作について説明する。図６および図７は、プリンタドライバ１００の動作の流れを示すフローチャートである。
【００６７】
プリンタドライバ１００は、操作処理部１０１が入力装置２０から印刷実行指示を受けると印刷処理を開始し、まず、描画情報取得部１０４がアプリケーションソフトウェア１５０から描画情報を取得する（ステップ３０１）。
【００６８】
続いて、描画情報解析部１０５が描画情報の解析を行い（ステップ３０２）、当該描画情報がベクタデータであれば（ステップ３０３でＮＯ、ステップ３０４でＹＥＳ）、色判別部１０６が色判別処理を実行する（ステップ３０５）。なお、色判別処理の詳細については後述する。
【００６９】
色判別処理の結果、当該ベクタデータが黒色描画対象であった場合には（ステップ３０６でＮＯ）、描画部１０８が、黒色描画領域（基本色描画領域１０９）に当該ベクタデータに基づく画像を描画して（ステップ３０７）、ステップ３０２の処理に戻る。
【００７０】
一方、色判別処理の結果、当該ベクタデータが赤色描画対象であった場合には（ステップ３０６でＹＥＳ）、ディザリング処理を行う指定があり（ステップ３０８でＹＥＳ）、当該ベクタデータが指定されたディザリング処理対象であれば（ステップ３０９でＹＥＳ）、ディザリング処理部１０７が当該ベクタデータに基づく画像にディザリング処理を施し（ステップ３１０）、その結果を描画部１０８が赤色描画領域（特定色描画領域１１０）に描画して（ステップ３１１）、ステップ３０２の処理に戻る。また、ディザリング処理を行う指定がない場合（ステップ３０８でＮＯ）、ディザリング処理を行う指定があっても当該ベクタデータが指定されたディザリング処理対象でなければ（ステップ３０９でＮＯ）、描画部１０８が当該ベクタデータに基づく画像にベタ処理を施し（ステップ３１２）、その結果を赤色描画領域（特定色描画領域１１０）に描画して（ステップ３１１）、ステップ３０２の処理に戻る。
【００７１】
また、描画情報がラスタデータであった場合には（ステップ３０４でＮＯ）、ラスタデータを黒色描画する指定があれば（ステップ３１３でＹＥＳ）、描画部１０８が、当該ラスタデータをアプリケーションソフトウェア１５０や情報処理装置１０を動作させるＯＳ（オペレーティングシステム）等にモノクロ２値化をさせ、その結果に基づいて黒色描画領域(基本色描画領域１０９)に画像を描画して（ステップ３１４）、ステップ３０２の処理に戻る。
【００７２】
一方、ラスタデータを黒色描画する指定がなければ（ステップ３１３でＮＯ）、色判別部１０６が当該ラスタデータから未処理の１ピクセルを取得し（ステップ３１５）、取得したピクセルに対して色判別処理を実行する（ステップ３１６）。なお、色判別処理の詳細については後述する。
【００７３】
色判別処理の結果、当該ピクセルが赤色描画対象であった場合には（ステップ３１７でＹＥＳ）、描画部１０８が、赤色一時描画領域（特定色一時描画領域１１２）に当該ピクセルに基づく画像を原色のまま描画する（ステップ３１８）。また、当該ピクセルが黒色描画対象であった場合には（ステップ３１７でＮＯ）、描画部１０８が、黒色一時描画領域（基本色一時描画領域１１１）に当該ピクセルに基づく画像を原色のまま描画する（ステップ３１９）。このステップ３１５乃至３１９の処理は、未処理のピクセルがある間繰り返される（ステップ３２０でＹＥＳ）。
【００７４】
そして、すべてのピクセルに対してステップ３１５乃至３１９の処理を行うと（ステップ３２０でＮＯ）、２値化処理部１１３が黒色一時描画領域（基本色一時描画領域１１１）に描画されている画像を２値化して黒色描画領域（基本色描画領域１０９）に描画し（ステップ３２１）、続いて、２値化処理部１１３が赤色一時描画領域（特定色一時描画領域１１２）に描画されている画像を２値化して赤色描画領域（特定色描画領域１１０）に描画して（ステップ３２２）、ステップ３０２の処理に戻る。
【００７５】
また、描画情報解析部１０５が描画情報の解析を行った結果、描画情報が描画の終了を意味するものであれば（ステップ３０３でＹＥＳ）、画像情報出力部１１４が黒色描画領域（基本色描画領域１０９）の画像情報と赤色描画領域（特定色描画領域１１０）の画像情報を画像形成装置４０へ出力して処理を終了する。
【００７６】
次に、前述のステップ３０５での色判別処理とステップ３１６での色判別処理について説明する。図８は、色判別部１０６による色判別処理の流れを示すフローチャートである。
【００７７】
色判別処理では、赤色と判別する色の直接指定があれば（ステップ４０１でＹＥＳ、ステップ４０２でＹＥＳ）、指定された色を確認し（ステップ４０３）、確認した色と色判別対象であるベクタデータ若しくはピクセルの色が一致すれば（ステップ４０４でＹＥＳ）、そのベクタデータ若しくはピクセルを赤色描画対象と判別する（ステップ４０５）。
【００７８】
また、黒色と判別する色の直接指定があれば（ステップ４０１でＹＥＳ、ステップ４０２でＮＯ）、指定された色を確認し（ステップ４０６）、確認した色と色判別対象であるベクタデータ若しくはピクセルの色が一致すれば（ステップ４０７でＹＥＳ）、そのベクタデータ若しくはピクセルを赤色描画対象と判別する（ステップ４０８）。
【００７９】
一方、赤色若しくは黒色と判別する色の直接指定がない場合（ステップ４０１でＮＯ）、赤色と判別する色の直接指定があるが指定された色と色判別対象であるベクタデータ若しくはピクセルの色が一致しなかった場合（ステップ４０４でＮＯ）、黒色と判別する色の直接指定があるが指定された色と色判別対象であるベクタデータ若しくはピクセルの色が一致しなかった場合は（ステップ４０７でＮＯ）、赤色と判別させる色の範囲指定があれば（ステップ４０９でＹＥＳ）、指定された範囲を確認する（ステップ４１０）。そして、色判別対象であるベクタデータ若しくはピクセルの色がその範囲に含まれていれば（ステップ４１１でＹＥＳ）、そのベクタデータ若しくはピクセルを赤色描画対象と判別する（ステップ４１２）。
【００８０】
また、色判別対象であるベクタデータ若しくはピクセルの色が指定された範囲に含まれていない場合や（ステップ４１１でＮＯ）、赤色と判別させる色の範囲指定がない場合には（ステップ４０９でＮＯ）、そのベクタデータ若しくはピクセルを黒色描画対象と判別する（ステップ４１３）。
【００８１】
最後に、本実施例で説明した画像処理装置を利用した場合に画像形成装置４０から出力される画像の出力例について説明する。
【００８２】
画像形成装置４０から、例えば、図９（ａ）に示す地図画像に、図９（ｂ）に示す図形およびテキストを重ね合わせた、図９（ｃ）に示すような画像を出力する場合、ラスタデータを黒色とする指定をしておけば、図９（ａ）に示す地図画像中の都市を示す記号等の赤色に近い色が赤色で描画されることなく、図９（ｂ）に示す図形のみを赤色で描画することができる。また、図９（ｂ）に示す図形とテキストの原色が異なるものであるが彩度や赤成分量がほぼ同等である場合、赤色描画とする色や黒色描画とする色を直接指定することができるため、図９（ｃ）において、図形とテキストが同色となることを避けることができる。
【００８３】
また、図１０に示すように、道路等の図面と、図面中の位置に応じた現場の写真を組み合わせた文書の場合、車のテールランプや信号、工事用の標識、パイロン等の赤色に近い色が赤色で描画されることなく図面中の文字を赤色で描画することができる。
【図面の簡単な説明】
【００８４】
【図１】画像処理装置の構成例を示した図である。
【図２】情報処理装置１０の機能的な構成の概略を示した図である。
【図３】プリンタドライバ１００の機能的な構成の詳細を示すブロック図である。
【図４】画面提供部１０３が提供する設定画面の例を示した図である。
【図５】色指定画面２５０の例を示した図である。
【図６】プリンタドライバ１００の動作の流れを示すフローチャートである。
【図７】プリンタドライバ１００の動作の流れを示すフローチャートである。
【図８】色判別部１０６による色判別処理の流れを示すフローチャートである。
【図９】本実施例で説明した画像処理装置を利用した場合に画像形成装置４０から出力される画像の出力例を説明するための図である。
【図１０】本実施例で説明した画像処理装置を利用した場合に画像形成装置４０から出力される画像の出力例を説明するための図である。
【符号の説明】
【００８５】
１０    情報処理装置
１１    演算部
１２    記憶部
１３    一時記憶部
１４    通信部
１５    入力装置接続部
１６    表示装置接続部
１７    記憶装置接続部
１８    記憶装置
２０    入力装置
３０    表示装置
４０    画像形成装置
１００    プリンタドライバ
１０１    操作処理部
１０２    設定記憶部
１０３    画面提供部
１０４    描画情報取得部
１０５    描画情報解析部
１０６    色判別部
１０７    ディザリング処理部
１０８    描画部
１０９    基本色描画領域
１１０    特定色描画領域
１１１    基本色一時描画領域
１１２    特定色一時描画領域
１１３    ２値化処理部
１１４    画像情報出力部
１５０    アプリケーションソフトウェア
２００    設定画面
２０１    設定部
２０２    設定部
２０３    設定部
２０４    設定部
２０５    設定部
２０６    設定部
２０７    設定部
２０８    設定部
２０９    表示部
２１０    表示部
２１１    設定部
２１２    設定部
２１３−１    設定部
２１４−１    表示部
２１５−１    設定部
２５０    色指定画面
２５１    表示部
２５２    ポインタ
２５３    設定部
２５４    設定部
２５５    設定部
【図１】
2008182440.tif 000003
【図２】
2008182440.tif 000004
【図３】
2008182440.tif 000005
【図４】
2008182440.tif 000006
【図５】
2008182440.tif 000007
【図６】
2008182440.tif 000008
【図７】
2008182440.tif 000009
【図８】
2008182440.tif 000010
【図９】
2008182440.tif 000011
【図１０】
2008182440.tif 000012